(57)【要約】【課題】複数の燃料電池を容易且つ迅速に組み立てるとともに、前記燃料電池の分解及び組み立て作業を効率的に行うことを可能にする。【解決手段】燃料電池１０を構成する発電ユニット１２は、第１セパレータ１４、第１電解質膜・電極構造体１６ａ、第２セパレータ１８、第２電解質膜・電極構造体１６ｂ及び第３セパレータ２０を設ける。第１セパレータ１４、第２セパレータ１８及び第３セパレータ２０の外周縁部には、樹脂製締結部１１０ａ、１１０ｂ及び１１０ｃが設けられる。樹脂製締結部１１０ａには、連結ピン部１１２が一体成形され、前記連結ピン部１１２の両側には、リビルトピン１１８が選択的に挿入可能な第１孔部１１４ａ及び第２孔部１１４ｂが形成される。樹脂製締結部１１０ｂ、１１０ｃは、中央に連結ピン部１１２が挿入される孔部１１６が形成され、前記孔部１１６の両側に第１孔部１１４ａ及び第２孔部１１４ｂが形成される。【選択図】図１
2010272313.tif 000002
【特許請求の範囲】
【請求項１】
電解質膜の両側に一対の電極を設けた電解質膜・電極構造体とセパレータとが積層される燃料電池であって、
前記セパレータの外周縁部には、積層方向両端に配置された前記セパレータ間を第１樹脂製連結体により締結するための樹脂製締結部が設けられるとともに、
前記樹脂製締結部には、前記セパレータ間を締結するための第２樹脂製連結体を、前記第１樹脂製連結体に代えて選択的に配置可能な少なくとも第１の締結部及び第２の締結部が設けられることを特徴とする燃料電池。
【請求項２】
請求項１記載の燃料電池において、前記第１樹脂製連結体は、前記積層方向の一端に配置される前記セパレータに設けられた前記樹脂製連結部に一体成形されることを特徴とする燃料電池。
【請求項３】
請求項１又は２記載の燃料電池において、前記第１樹脂製連結体は、前記セパレータの前記樹脂製連結部に設けられる孔部に挿入された状態で、端部が前記樹脂製連結体に溶着されることを特徴とする燃料電池。
【請求項４】
請求項１〜３のいずれか１項に記載の燃料電池において、前記第２樹脂製連結体は、前記樹脂製締結部とは個別に設けられることを特徴とする燃料電池。
【発明の詳細な説明】
【技術分野】
【０００１】
本発明は、電解質膜の両側に一対の電極を設けた電解質膜・電極構造体とセパレータとが積層される燃料電池に関する。
【背景技術】
【０００２】
例えば、固体高分子型燃料電池は、高分子イオン交換膜からなる電解質膜の両側に、それぞれアノード側電極及びカソード側電極を配設した電解質膜・電極構造体（ＭＥＡ）を、セパレータによって挟持している。この種の燃料電池は、通常、所定の数だけ積層されることにより、燃料電池スタックとして使用されている。
【０００３】
この種の燃料電池では、通常、数十〜数百の燃料電池を積層して燃料電池スタックを構成している。その際、燃料電池自体及び前記燃料電池同士を正確に位置決めする必要があり、例えば、特許文献１に開示された燃料電池が知られている。
【０００４】
この従来の燃料電池は、第１及び第２セパレータの外周を、複数個所で保持する複数の金属クリップ部材を備え、前記金属クリップ部材は、側板部と、前記側板部の端部で屈曲して前記第１及び第２セパレータの外周を把持する第１及び第２舌片部とを有し、前記第１及び第２舌片部は、前記側板部よりも長尺に構成されるとともに、ばね性を備えている。
【先行技術文献】
【特許文献】
【０００５】
【特許文献１】特開２００４−２４１２０８号公報
【発明の概要】
【発明が解決しようとする課題】
【０００６】
上記の燃料電池では、各燃料電池毎に複数箇所に金属クリップ部材を装着する作業が必要である。このため、金属クリップ部材の装着作業が煩雑化し、特に数百の燃料電池を積層して燃料電池スタックを組み立てる際に、作業に相当の時間と手間がかかってしまう。これにより、効率的な組み立て作業が遂行されないという問題がある。
【０００７】
しかも、燃料電池の解析が必要になった場合や、前記燃料電池の部品交換等が必要になった場合に、前記燃料電池を分解する必要がある。その際、金属クリップ部材の着脱作業が行われることになり、この種の着脱作業が相当に煩雑化するという問題がある。
【０００８】
本発明はこの種の問題を解決するものであり、複数の燃料電池を容易且つ迅速に組み立てるとともに、前記燃料電池の分解及び組み立て作業を効率的に行うことが可能な燃料電池を提供することを目的とする。
【課題を解決するための手段】
【０００９】
本発明は、電解質膜の両側に一対の電極を設けた電解質膜・電極構造体とセパレータとが積層される燃料電池に関するものである。
【００１０】
この燃料電池は、セパレータの外周縁部には、積層方向両端に配置されたセパレータ間を第１樹脂製連結体により締結するための樹脂製締結部が設けられるとともに、前記樹脂製締結部には、前記セパレータ間を締結するための第２樹脂製連結体を、前記第１樹脂製連結体に代えて選択的に配置可能な少なくとも第１の締結部及び第２の締結部が設けられている。
【００１１】
また、第１樹脂製連結体は、積層方向の一端に配置されるセパレータに設けらた樹脂製連結部に一体成形されることが好ましい。
【００１２】
さらに、第１樹脂製連結体は、セパレータの樹脂製連結部に設けられる孔部に挿入された状態で、端部が前記樹脂製連結部に溶着されることが好ましい。
【００１３】
さらにまた、第２樹脂製連結体は、樹脂製締結部とは個別に設けられることが好ましい。
【発明の効果】
【００１４】
本発明によれば、燃料電池を構成するセパレータ間が第１樹脂製連結体により締結されるため、簡単な作業で、前記燃料電池の組み立てを効率的に行うことができる。
【００１５】
そして、組み立て後の燃料電池を分解する際には、第１樹脂製連結体が除去される一方、第２樹脂製連結体が、第１の締結部又は第２の締結部のいずれかに配置されることにより、前記燃料電池の再組み立てが容易且つ迅速に行われる。
【００１６】
しかも、第２樹脂製連結体を配置させるために、少なくとも第１の締結部及び第２の締結部が設けられている。このため、例えば、燃料電池の分解及び組み立て作業を複数回行うことができ、前記燃料電池の部品交換や解析等の種々の処理が良好に遂行可能になる。
【００１７】
さらに、各燃料電池毎に、第２樹脂製連結体を第１の締結部と第２の締結部とに交互に配置することができる。従って、積層方向に隣近する第２樹脂製連結体同士が重なり合うことがなく、積層方向の寸法が長尺化することを抑制することが可能になる。
【図面の簡単な説明】
【００１８】
【図１】本発明の第１の実施形態に係る燃料電池の要部分解斜視説明図である。
【図２】前記燃料電池を構成する第１セパレータの一方の面側の説明図である。
【図３】前記燃料電池を構成する第２セパレータの一方の面側の説明図である。
【図４】前記燃料電池を構成する第３セパレータの正面説明図である。
【図５】前記燃料電池を構成する樹脂製締結部の、図１中、Ｖ−Ｖ線断面図である。
【図６】前記樹脂製締結部にリビルトピンが挿入される際の、図１中、ＶＩ−ＶＩ線断面図である。
【図７】前記樹脂製締結部により前記燃料電池を組み立てる際の説明図である。
【図８】本発明の第２の実施形態に係る燃料電池を構成する発電ユニットの要部断面説明図である。
【図９】本発明の第３の実施形態に係る燃料電池の要部分解斜視説明図である。
【図１０】前記燃料電池を構成する樹脂製締結部の断面説明図である。
【発明を実施するための形態】
【００１９】
図１に示すように、本発明の第１の実施形態に係る燃料電池１０は、複数の発電ユニット１２を水平方向（矢印Ａ方向）又は重力方向（矢印Ｃ方向）に積層して構成される。発電ユニット１２は、第１セパレータ１４、第１電解質膜・電極構造体（電解質・電極構造体）（ＭＥＡ）１６ａ、第２セパレータ１８、第２電解質膜・電極構造体１６ｂ及び第３セパレータ２０を設ける。
【００２０】
第１セパレータ１４、第２セパレータ１８及び第３セパレータ２０は、例えば、鋼板、ステンレス鋼板、アルミニウム板、めっき処理鋼板、あるいはその金属表面に防食用の表面処理を施した金属板により構成される。第１セパレータ１４、第２セパレータ１８及び第３セパレータ２０は、金属製薄板を波形状にプレス加工することにより、断面凹凸形状を有する。なお、第１セパレータ１４、第２セパレータ１８及び第３セパレータ２０は、金属セパレータに換えて、カーボンセパレータ等を使用してもよい。
【００２１】
第１電解質膜・電極構造体１６ａは、第２電解質膜・電極構造体１６ｂよりも小さな表面積に設定される。第１及び第２電解質膜・電極構造体１６ａ、１６ｂは、例えば、パーフルオロスルホン酸の薄膜に水が含浸された固体高分子電解質膜２２と、前記固体高分子電解質膜２２を挟持するアノード側電極２４及びカソード側電極２６とを備える。
【００２２】
アノード側電極２４は、カソード側電極２６よりも小さな表面積を有する、所謂、段差型ＭＥＡを構成している。固体高分子電解質膜２２、アノード側電極２４及びカソード側電極２６は、それぞれ矢印Ｂ方向両端部上下に切り欠きが設けられて表面積が縮小されている。
【００２３】
アノード側電極２４及びカソード側電極２６は、カーボンペーパ等からなるガス拡散層（図示せず）と、白金合金が表面に担持された多孔質カーボン粒子が前記ガス拡散層の表面に一様に塗布されて形成される電極触媒層（図示せず）とを有する。電極触媒層は、固体高分子電解質膜２２の両面に形成される。
【００２４】
発電ユニット１２の長辺方向の（矢印Ｃ方向）上端縁部には、矢印Ａ方向に互いに連通して、酸化剤ガス、例えば、酸素含有ガスを供給するための酸化剤ガス入口連通孔３０ａ、及び燃料ガス、例えば、水素含有ガスを供給するための燃料ガス入口連通孔３２ａが設けられる。
【００２５】
発電ユニット１２の長辺方向の（矢印Ｃ方向）下端縁部には、矢印Ａ方向に互いに連通して、燃料ガスを排出するための燃料ガス出口連通孔３２ｂ、及び酸化剤ガスを排出するための酸化剤ガス出口連通孔３０ｂが設けられる。
【００２６】
発電ユニット１２の短辺方向（矢印Ｂ方向）の一端縁部には、矢印Ａ方向に互いに連通して、冷却媒体を供給するための冷却媒体入口連通孔３４ａが設けられるとともに、前記発電ユニット１２の短辺方向の他端縁部には、前記冷却媒体を排出するための冷却媒体出口連通孔３４ｂが設けられる。
【００２７】
図２に示すように、第１セパレータ１４の第１電解質膜・電極構造体１６ａに向かう面１４ａには、燃料ガス入口連通孔３２ａと燃料ガス出口連通孔３２ｂとを連通する第１燃料ガス流路３６が形成される。第１燃料ガス流路３６は、矢印Ｃ方向に延在する複数の波状流路溝を有するとともに、前記第１燃料ガス流路３６の入口（上端部）及び出口（下端部）近傍には、それぞれ複数のエンボスを有する入口バッファ部３８及び出口バッファ部４０が設けられる。
【００２８】
第１セパレータ１４の面１４ｂには、冷却媒体入口連通孔３４ａと冷却媒体出口連通孔３４ｂとを連通する冷却媒体流路４４が形成される。冷却媒体流路４４は、第１燃料ガス流路３６の裏面形状である。
【００２９】
第２セパレータ１８の第１電解質膜・電極構造体１６ａに向かう面１８ａには、図３に示すように、酸化剤ガス入口連通孔３０ａと酸化剤ガス出口連通孔３０ｂとを連通する第１酸化剤ガス流路５０が形成される。第１酸化剤ガス流路５０は、矢印Ｃ方向に延在する複数の波状流路溝を有する。第１酸化剤ガス流路５０の入口（上端部）及び出口（下端部）近傍には、入口バッファ部５２及び出口バッファ部５４が設けられる。
【００３０】
図１に示すように、第２セパレータ１８の第２電解質膜・電極構造体１６ｂに向かう面１８ｂには、燃料ガス入口連通孔３２ａと燃料ガス出口連通孔３２ｂとを連通する第２燃料ガス流路５８が形成される。第２燃料ガス流路５８は、矢印Ｃ方向に延在する複数の波状流路溝を有するとともに、前記第２燃料ガス流路５８の入口（上端部）及び出口（下端部）近傍には、入口バッファ部６０及び出口バッファ部６２が設けられる。
【００３１】
図４に示すように、第３セパレータ２０の第２電解質膜・電極構造体１６ｂに向かう面２０ａには、酸化剤ガス入口連通孔３０ａと酸化剤ガス出口連通孔３０ｂとを連通する第２酸化剤ガス流路６６が形成される。
【００３２】
第２酸化剤ガス流路６６は、矢印Ｃ方向に延在する複数の波状流路溝を有する。第２酸化剤ガス流路６６の入口（上端部）及び出口（下端部）近傍には、入口バッファ部６８及び出口バッファ部７０が設けられる。
【００３３】
第３セパレータ２０の面２０ｂには、図１に示すように、冷却媒体入口連通孔３４ａと冷却媒体出口連通孔３４ｂとを連通する冷却媒体流路４４が形成される。冷却媒体流路４４は、第１燃料ガス流路３６及び第２酸化剤ガス流路６６の裏面形状（波形状）の重ね合わせにより形成される。
【００３４】
第１セパレータ１４の面１４ａ、１４ｂには、この第１セパレータ１４の外周端縁部を周回して第１シール部材７４が一体成形される。第２セパレータ１８の面１８ａ、１８ｂには、この第２セパレータ１８の外周端縁部を周回して第２シール部材７６が一体成形されるとともに、第３セパレータ２０の面２０ａ、２０ｂには、この第３セパレータ２０の外周端縁部を周回して第３シール部材７８が一体成形される。
【００３５】
第１〜第３シール部材７４、７６及び７８としては、例えば、ＥＰＤＭ、ＮＢＲ、フッ素ゴム、シリコーンゴム、フロロシリコーンゴム、ブチルゴム、天然ゴム、スチレンゴム、クロロプレーン又はアクリルゴム等のシール材、クッション材、あるいはパッキン材が用いられる。
【００３６】
図１及び図２に示すように、第１セパレータ１４には、燃料ガス入口連通孔３２ａと第１燃料ガス流路３６とを連通する入口側第１連結流路８０ａと、燃料ガス出口連通孔３２ｂと前記第１燃料ガス流路３６とを連通する出口側第１連結流路８０ｂとが設けられる。入口側第１連結流路８０ａは、複数の外側供給孔部８２ａと複数の内側供給孔部８２ｂとを有する。
【００３７】
図１に示すように、面１４ａ側には、燃料ガス入口連通孔３２ａと各外側供給孔部８２ａとを連通する複数の通路８４ａが設けられる。図２に示すように、面１４ｂ側には、外側供給孔部８２ａと内側供給孔部８２ｂとを連通する複数の通路８４ｂが形成される。出口側第１連結流路８０ｂは、同様に、複数の外側排出孔部８６ａと複数の内側排出孔部８６ｂとを有する。
【００３８】
面１４ａ側には、燃料ガス出口連通孔３２ｂと各外側排出孔部８６ａとを連通する複数の通路８８ａが形成される。面１４ｂ側には、外側排出孔部８６ａと内側排出孔部８６ｂとを連通する複数の通路８８ｂが形成される（図２参照）。
【００３９】
図３に示すように、酸化剤ガス入口連通孔３０ａ及び酸化剤ガス出口連通孔３０ｂと第１酸化剤ガス流路５０との連通部分には、複数の入口側連結流路８９ａ及び複数の出口側連結流路８９ｂを形成する複数の受け部９０ａ、９０ｂが設けられる。
【００４０】
第２セパレータ１８には、燃料ガス入口連通孔３２ａと第２燃料ガス流路５８とを連通する入口側第２連結流路９２ａと、燃料ガス出口連通孔３２ｂと前記第２燃料ガス流路５８とを連通する出口側第２連結流路９２ｂとが設けられる。入口側第２連結流路９２ａは、供給孔部９４を有する。面１８ａ側には、燃料ガス入口連通孔３２ａと供給孔部９４とを連通する通路９６ａが形成される。
【００４１】
出口側第２連結流路９２ｂは、同様に、複数の排出孔部９８を有する。面１８ａ側には、排出孔部９８を燃料ガス出口連通孔３２ｂに連通する複数の通路１００ａが形成される。
【００４２】
図４に示すように、第３セパレータ２０には、酸化剤ガス入口連通孔３０ａ及び酸化剤ガス出口連通孔３０ｂと第２酸化剤ガス流路６６の連通部分には、複数の入口側連結流路１０１ａ及び複数の出口側連結流路１０１ｂを形成する複数の受け部１０２ａ、１０２ｂが設けられる。
【００４３】
図１に示すように、第１セパレータ１４、第２セパレータ１８及び第３セパレータ２０の外周縁部には、樹脂製締結部１１０ａ、１１０ｂ及び１１０ｃがそれぞれ複数設けられる。樹脂製締結部１１０ａ、１１０ｂ及び１１０ｃは、ＰＰＳ（ポリフェニレンサルファイド）、ＰＯＭ（ポリアセタール）、ＰＢＴ（ポリブチレンテレフタレート）、ＰＥＥＫ（ポリエーテルエーテルケトン）、ＬＣＰ（液晶ポリマー）、ポリイミド又はＡＢＳ樹脂等で構成される。
【００４４】
樹脂製締結部１１０ａ、１１０ｂ及び１１０ｃは、予め、絶縁樹脂で成形した成形品を、かしめや接着等によって第１セパレータ１４〜第３セパレータ２０を構成する金属プレートに設けられた切り欠き部に固定し、あるいは、前記金属プレートの前記切り欠き部に絶縁樹脂を一体で射出成形してもよい。
【００４５】
図１及び図２に示すように、第１セパレータ１４に設けられる樹脂製締結部１１０ａは、面１４ａ側に突出する連結ピン部（第１樹脂製連結体）１１２を一体形成する。連結ピン部１１２の両側には、後述するリビルトピン（第２樹脂製連結体）１１８を選択的に配置可能な、少なくとも第１孔部（第１の連結部）１１４ａ及び第２孔部（第２の締結部）１１４ｂが形成される。
【００４６】
図１に示すように、第２及び第３セパレータ１８、２０に設けられた樹脂製締結部１１０ｂ、１１０ｃには、中央に連結ピン部１１２が挿入される新規組み付け時締結用の孔部１１６が形成されるとともに、前記孔部１１６の両側には、少なくとも第１孔部１１４ａ及び第２孔部１１４ｂが形成される。
【００４７】
図１及び図６に示すように、連結ピン部１１２に代えて用いられるリビルトピン１１８は、樹脂製締結部１１０ａ〜１１０ｃと同様に、絶縁樹脂で構成される。このリビルトピン１１８は、第１セパレータ１４の第１孔部１１４ａ及び第２孔部１１４ｂよりも大径に設定され、前記第１セパレータ１４の面１４ｂ側に当接する大径なフランジ部１１８ａを有する。
【００４８】
フランジ部１１８ａから膨出する柱体部１１８ｂは、各第１孔部１１４ａ又は第２孔部１１４ｂに選択的に挿入される。柱体部１１８ｂの先端は、後述する溶着処理によって大径化された頭部１１８ｃを構成し、この頭部１１８ｃは、第３セパレータ２０の面２０ｂ側に係止される。
【００４９】
なお、リビルトピン１１８は、予め、頭部１１８ｃを形成しておき、この頭部１１８ｃに軸方向に複数のスリットを設けることにより径方向に拡縮自在に構成してもよい。
【００５０】
このように構成される燃料電池１０を組み立てる作業について、以下に説明する。
【００５１】
各発電ユニット１２の新規組み立て時には、図７に示すように、第１セパレータ１４の樹脂製締結部１１０ａに設けられている連結ピン部１１２が、第２及び第３セパレータ２０の樹脂製締結部１１０ｂ、１１０ｃに設けられている各孔部１１６に一体に挿入される。
【００５２】
この状態で、溶着ダイを構成する溶着チップ１２０は、所定の温度に加熱された状態で、連結ピン部１１２の先端部に押圧される。具体的には、２５０℃〜３００℃の温度に加熱された溶着チップ１２０は、連結ピン部１１２の先端部に１０秒〜３０秒間、１Ｎ〜２Ｎの圧力で押圧される。
【００５３】
溶着チップ１２０の先端側には、所定の形状を有する成形面１２０ａが設けられている。このため、成形面１２０ａが連結ピン部１１２の先端に当接すると、前記先端が溶融変形されて頭部１１２ａが形成される（図５参照）。頭部１１２ａは、第３セパレータ２０の面２０ｂ側で拡径し、孔部１１６よりも大径に成形される。これによって、第１セパレータ１４、第２セパレータ１８及び第３セパレータ２０を一体に組み付けることができる。
【００５４】
上記のように、各発電ユニット１２が締結された後、所定数の前記発電ユニット１２が積層されて燃料電池１０が構成される。
【００５５】
次に、燃料電池１０の動作について、以下に説明する。
【００５６】
先ず、図１に示すように、酸化剤ガス入口連通孔３０ａに酸素含有ガス等の酸化剤ガスが供給されるとともに、燃料ガス入口連通孔３２ａに水素含有ガス等の燃料ガスが供給される。さらに、冷却媒体入口連通孔３４ａに純水やエチレングリコール、オイル等の冷却媒体が供給される。
【００５７】
このため、酸化剤ガスは、酸化剤ガス入口連通孔３０ａから第２セパレータ１８の第１酸化剤ガス流路５０及び第３セパレータ２０の第２酸化剤ガス流路６６に導入される（図３及び図４参照）。この酸化剤ガスは、第１酸化剤ガス流路５０に沿って矢印Ｃ方向（重力方向）に移動し、第１電解質膜・電極構造体１６ａのカソード側電極２６に供給されるとともに、第２酸化剤ガス流路６６に沿って矢印Ｃ方向に移動し、第２電解質膜・電極構造体１６ｂのカソード側電極２６に供給される（図１参照）。
【００５８】
一方、燃料ガスは、図２及び図３に示すように、燃料ガス入口連通孔３２ａから第１セパレータ１４と第２セパレータ１８との間に形成された通路８４ａ、９６ａに導入される。図２に示すように、通路８４ａに導入された燃料ガスは、外側供給孔部８２ａを通って第１セパレータ１４の面１４ｂ側に移動する。さらに、燃料ガスは、通路８４ｂを通って内側供給孔部８２ｂから面１４ａ側に導入される。
【００５９】
このため、図２に示すように、燃料ガスは、通路８４ｂを通って入口バッファ部３８に送られ、第１燃料ガス流路３６に沿って、重力方向（矢印Ｃ方向）に移動し、第１電解質膜・電極構造体１６ａのアノード側電極２４に供給される。
【００６０】
また、通路９６ａに導入された燃料ガスは、図３に示すように、供給孔部９４を通って第２セパレータ１８の面１８ｂ側に移動する。このため、燃料ガスは、図１に示すように、面１８ｂ側で入口バッファ部６０に供給された後、第２燃料ガス流路５８に沿って矢印Ｃ方向に移動し、第２電解質膜・電極構造体１６ｂのアノード側電極２４に供給される。
【００６１】
従って、第１及び第２電解質膜・電極構造体１６ａ、１６ｂでは、カソード側電極２６に供給される酸化剤ガスと、アノード側電極２４に供給される燃料ガスとが、電極触媒層内で電気化学反応により消費されて発電が行われる。
【００６２】
次いで、第１及び第２電解質膜・電極構造体１６ａ、１６ｂの各カソード側電極２６に供給されて消費された酸化剤ガスは、酸化剤ガス出口連通孔３０ｂに沿って矢印Ａ方向に排出される。
【００６３】
第１電解質膜・電極構造体１６ａのアノード側電極２４に供給されて消費された燃料ガスは、図２に示すように、出口バッファ部４０から内側排出孔部８６ｂを通って第１セパレータ１４の面１４ｂ側に導出される。
【００６４】
図１に示すように、面１４ｂ側に導出された燃料ガスは、外側排出孔部８６ａに導入され、再度、面１４ａ側に移動する。このため、図２に示すように、燃料ガスは、外側排出孔部８６ａから通路８８ａを通って燃料ガス出口連通孔３２ｂに排出される。
【００６５】
また、第２電解質膜・電極構造体１６ｂのアノード側電極２４に供給されて消費された燃料ガスは、出口バッファ部６２から排出孔部９８を通って面１８ａ側に移動する。この燃料ガスは、図３に示すように、通路１００ａを通って燃料ガス出口連通孔３２ｂに排出される。
【００６６】
一方、冷却媒体入口連通孔３４ａに供給された冷却媒体は、図１に示すように、第１セパレータ１４と第３セパレータ２０との間に形成された冷却媒体流路４４に導入された後、矢印Ｂ方向に流通する。この冷却媒体は、第１及び第２電解質膜・電極構造体１６ａ、１６ｂを冷却した後、冷却媒体出口連通孔３４ｂに排出される。
【００６７】
この場合、第１の実施形態では、第１セパレータ１４に設けられた樹脂製締結部１１０ａには、連結ピン部１１２が一体成形されている。そして、連結ピン部１１２が、第２及び第３セパレータ１８、２０の各孔部１１６に挿入された後、前記連結ピン部１１２の先端を溶着することにより、発電ユニット１２が組み付けられている。
【００６８】
従って、簡単な作業で、発電ユニット１２の組み立てを行うことができ、燃料電池１０の組み立て作業全体が迅速且つ容易に遂行されるという利点がある。
【００６９】
次に、組み立て後の燃料電池１０が、故障等による部品交換や解析等のために分解される際には、先ず、連結ピン部１１２の頭部１１２ａが除去されて各発電ユニット１２が互いに分離される。一方、個別に構成されているリビルトピン１１８が用意される（図１参照）。
【００７０】
さらに、第１セパレータ１４、第２セパレータ１８及び第３セパレータ２０が、第１電解質膜・電極構造体１６ａ及び第２電解質膜・電極構造体１６ｂを挟持して積層された状態で、リビルトピン１１８が、例えば、各第１孔部１１４ａに一体に挿入される。
【００７１】
図６に示すように、リビルトピン１１８は、柱体部１１８ｂが各第１孔部１１４ａに一体に挿入されるとともに、フランジ部１１８ａが第１セパレータ１４に当接支持される。この状態で、柱体部１１８ｂの先端には、例えば、溶着チップ１２０を介して溶着処理が施され、頭部１１８ｃが形成される。従って、発電ユニット１２は、リビルトピン１１８のフランジ部１１８ａと頭部１１８ｃとに一体的に挟持されて、再組み立てが行われる。
【００７２】
ここで、互いに隣接する発電ユニット１２では、一方の発電ユニット１２を構成する第１孔部１１４ａにリビルトピン１１８が挿入されるとともに、他方の発電ユニット１２を構成する第２孔部１１４ｂにリビルトピン１１８が挿入されている。このため、互いに隣接する発電ユニット１２では、各リビルトピン１１８同士が積層方向に沿って千鳥状に配置されることにより、前記リビルトピン１１８同士の干渉を阻止することができ、積層方向の寸法を可及的に短尺化することが可能になる。
【００７３】
上記のように、発電ユニット１２の再組み立て時には、連結ピン部１１２に代えて、別体のリビルトピン１１８が用いられている。リビルトピン１１８は、各第１孔部１１４ａ又は各第２孔部１１４ｂに一体に挿入されるだけで、発電ユニット１２の再組み立て作業が迅速且つ良好に遂行されるという効果が得られる。
【００７４】
また、発電ユニット１２の再組み立て時に、リビルトピン１１８を各第１孔部１１４ａに一体に挿入する一方、前記発電ユニットの再々組み立て時に、前記リビルトピン１１８を各第２孔部１１４ｂに一体に挿入することができる。これにより、発電ユニット１２の組み立てが複数回にわたって容易に行われるため、前記発電ユニット１２の部品交換や解析等の種々の処理が良好に遂行可能になる。
【００７５】
従って、第１電解質膜・電極構造体１６ａや第２電解質膜・電極構造体１６ｂの改修や交換が必要になった際にも、第１セパレータ１４、第２セパレータ１８及び第３セパレータ２０を再利用することができる。このため、経済的であるとともに、発電ユニット１２の分解及び再組み立て作業が一挙に簡素化されるという利点がある。
【００７６】
図８は、本発明の第２の実施形態に係る燃料電池１３０を構成する発電ユニット１３２の要部断面説明図である。
【００７７】
なお、第１の実施形態に係る燃料電池１０と同一の構成要素には同一の参照符号を付して、その詳細な説明は省略する。また、以下に説明する第３の実施形態においても同様に、その詳細な説明は省略する。
【００７８】
発電ユニット１３２を構成する第１セパレータ１４、第２セパレータ１８及び第３セパレータ２０には、それぞれ外周縁部に樹脂製締結部１３４ａ、１３４ｂ及び１３４ｃが設けられる。第１セパレータ１４に設けられた樹脂製締結部１３４ａには、積層方向に膨出して連結ピン部１３６が一体成形されるとともに、第３セパレータ２０には、孔部１１６を周回してテーパ面１３８が形成される。
【００７９】
このように構成される第２の実施形態では、第１セパレータ１４の樹脂製締結部１３４ａに一体成形された連結ピン部１３６が、第２セパレータ１８及び第３セパレータ２０の各孔部１１６に一体に挿入された後、先端部に溶着処理が施されることによって円錐状の頭部１３６ａが形成される。
【００８０】
この頭部１３６ａは、第３セパレータ２０のテーパ面１３４の形状に沿って成形されており、第１セパレータ１４、第２セパレータ１８及び前記第３セパレータ２０を互いに位置決めした状態で組み立てることができる。従って、この第２の実施形態は、位置決め精度が向上する他、上記の第１の実施形態と同様の効果が得られる。
【００８１】
図９は、本発明の第３の実施形態に係る燃料電池１４０の要部分解斜視説明図である。
【００８２】
燃料電池１４０は、複数の発電ユニット１４２を積層して構成され、前記発電ユニット１４２は、第１セパレータ１４４、電解質膜・電極構造体１４６及び第２セパレータ１４８を備える。
【００８３】
発電ユニット１４２の長辺方向（矢印Ｃ方向）の上端縁部には、酸化剤ガス入口連通孔３０ａ、燃料ガス入口連通孔３２ａ及び冷却媒体入口連通孔３４ａが形成される。発電ユニット１４２の長辺方向の下端縁部には、酸化剤ガス出口連通孔３０ｂ、燃料ガス出口連通孔３２ｂ及び冷却媒体出口連通孔３４ｂが形成される。
【００８４】
第１セパレータ１４４の電解質膜・電極構造体１４６に向かう面１４ａには、第１燃料ガス流路３６が形成され、第２セパレータ１４８の前記電解質膜・電極構造体１４６に向かう面２０ａには、第１酸化剤ガス流路５０が形成される。第１セパレータ１４４の面１４ｂと第２セパレータ１４８の面２０ｂとの間には、冷却媒体流路４４が形成される。
【００８５】
第１セパレータ１４４の外周縁部には、図９及び図１０に示すように、複数の樹脂製締結部１５０ａが設けられるとともに、第２セパレータ１４８の外周縁部には、前記樹脂製締結部１５０ａに対応して樹脂製締結部１５０ｂが、複数、設けられる。
【００８６】
樹脂製締結部１５０ａは、中央に連結ピン部１１２が一体成形されるとともに、前記連結ピン部１１２の両側に、少なくとも第１孔部１１４ａ及び第２孔部１１４ｂが形成される。樹脂製締結部１５０ｂは、中央部に孔部１１６が形成されるとともに、前記孔部１１６の両側に、少なくとも第１孔部１１４ａ及び第２孔部１１４ｂが形成される。このように構成される第３の実施形態では、上記の第１の実施形態と同様の効果が得られるとともに、上記の第２の実施形態を採用することも可能である。
【符号の説明】
【００８７】
１０、１３０、１４０…燃料電池    １２、１３２、１４２…発電ユニット
１４、１８、２０、１４４、１４８…セパレータ
１６ａ、１６ｂ、１４６…電解質膜・電極構造体
２２…固体高分子電解質膜          ２４…アノード側電極
２６…カソード側電極              ３０ａ…酸化剤ガス入口連通孔
３０ｂ…酸化剤ガス出口連通孔      ３２ａ…燃料ガス入口連通孔
３２ｂ…燃料ガス出口連通孔        ３４ａ…冷却媒体入口連通孔
３４ｂ…冷却媒体出口連通孔        ３６、５８…燃料ガス流路
４４…冷却媒体流路                ５０、６６…酸化剤ガス流路
７４、７６、７８…シール部材
１１０ａ〜１１０ｃ、１３４ａ〜１３４ｃ、１５０ａ、１５０ｂ…樹脂製締結部
１１２、１３６…連結ピン部        １１４ａ、１１４ｂ、１１６…孔部
１１８…リビルトピン              １３８…テーパ面
【図１】
2010272313.tif 000003
【図２】
2010272313.tif 000004
【図３】
2010272313.tif 000005
【図４】
2010272313.tif 000006
【図５】
2010272313.tif 000007
【図６】
2010272313.tif 000008
【図７】
2010272313.tif 000009
【図８】
2010272313.tif 000010
【図９】
2010272313.tif 000011
【図１０】
2010272313.tif 000012